(57)【特許請求の範囲】
【請求項１】
繊維状の導電体がランダムに散在された識別媒体と、
前記識別媒体の発券を行う装置とからなる識別媒体の発券方式であって、
前記発券を行う装置は、前記識別媒体の前記導電体の分布に応じて生ずる電界の変化を検出する電界検出手段と、
前記電界検出手段により検出された電界の値の最大値および最小値を基準として所定のレベルごとに分割するレベル分割手段と、
前記レベル分割手段により分割された電界の値を光学反射量に変換する光学反射量変換手段と、
前記光学反射量変換手段により変換された光学反射量を前記識別媒体の前記光学反射量によって情報を表示する領域に記録する手段とを有することを特徴とする識別媒体の発券方式。
【請求項２】
請求項１に記載の発券方式において、
前記発券を行う装置は、
前記識別媒体の前記光学反射量によって情報を表示する領域に記録される情報を暗号化する手段を含むことを特徴とする識別媒体の発券方式。
【請求項３】
繊維状の導電体がランダムに散在された識別媒体と、
前記識別媒体の正当性を確認する認証装置とからなる識別媒体の認証方式であって、
前記識別媒体は、光学反射量によって情報を表示する領域を有し、
前記認証装置は、前記識別媒体の前記導電体の分布に応じて生ずる電界の変化を検出する電界検出手段と、前記領域の光学反射量を検出する光学検出手段とを有し、
前記認証装置は、前記導電体の分布および前記領域の光学反射量を検出してこれらを比較することにより、前記識別媒体の正当性を確認することを特徴とする識別媒体の認証方式。
【請求項４】
請求項３に記載の認証方式において、
前記認証装置は、
さらに前記光学反射量によって情報を表示する領域に記録された情報を復号化する手段を含むことを特徴とする識別媒体の認証方式。
【請求項５】
請求項３または４に記載の認証方式において、前記領域はそれぞれ、印刷部と非印刷部との面積比率によって光学反射量を表すことを特徴とする識別媒体の認証方式。
【請求項６】
請求項５に記載の認証方式において、前記領域はそれぞれ、網点によって光学反射量を表すことを特徴とする識別媒体の認証方式。
【請求項７】
請求項３に記載の認証方式において、前記認証装置は、
前記識別媒体の片側に配置され、交流電源に接続された第１の電極と、
前記識別媒体の他の側に配置された第２の電極とを有し、
前記電界検出手段は前記第２の電極に接続され、前記交流電源からの交流に基づき前記第１の電極に印加される電圧により発生する電界が前記識別媒体を通過することにより前記識別媒体の前記導電体の分布に応じて前記第２の電極に生ずる変化を検出することを特徴とする識別媒体の認証方式。
【発明の詳細な説明】
【０００１】
【産業上の利用分野】
本発明は、特に繊維状の導電体を内部に不規則に散在させた識別媒体の発券方式およびその認証方式に関する。
【０００２】
【従来の技術】
従来、カードおよび有価証券等の識別媒体の発行（発券）方式およびその正当性を確認する方式として、たとえば磁気記録を用いるものが良く知られている。この例えばカードを用いた従来の発券および正当性を確認する方式によれば、例えば、磁気記録部に暗証番号等のカードに関する情報を記録し、カードが発行され、カードを利用する際に利用者がカードを読み取り装置に挿入し暗証番号を入力すると、読み取り装置が磁気記録部に記録された暗証番号を読み取り、入力された情報と照合することでカードの正当性を確認していた。
【０００３】
しかし、このような磁気的に記録された情報を読み取る装置は、市販されているので入手が容易であり、また、磁気的に記録された情報を容易に書換えることができ、したがって、カードの偽造および改ざんが容易に行えるためセキュリティ性に問題があった。
【０００４】
そこで、カードの偽造および改ざんを困難にしセキュリティ性を高める方法として、マイクロ波を用いる方式が提案されている。この方式によれば、図１６に示すようにカード１には、不規則に散在する金属等の繊維状の導電体１ａが埋設されている。
【０００５】
この、繊維状の導電体１ａは、カード１の製造過程においてランダムに分布するようにされているから、カード毎に異なるパターンを持ったカード１が得られる。
【０００６】
このようなカード１にマイクロ波を照射して走査し、その反射波または透過波を測定して導電体１ａのパターンを検出する。そして検出した導電体１ａのパターンをＡ／Ｄ変換器（図示しない）によりディジタル化し、例えば、カード１に併設した磁気記録部（図示しない）に記録してカード１を使用可能な状態（カードの発行）とする。
【０００７】
この磁気記録部に記録された情報（ディジタル化された導電体１ａのパターン）と再び、カード１にマイクロ波を照射して検出した導電体１ａのパターンをＡ／Ｄ変換器（図示しない）によりディジタル化した情報とを比較することにより、カード１の正当性を確認することができる。
【０００８】
したがって、繊維状の導電体１ａはカード毎に微妙な相違があり、この相違を再現することはほとんど不可能であり、偽造、改ざんが極めて困難となる。
【０００９】
【発明が解決しようとする課題】
しかしながら、前述のようなマイクロ波を用いる方式は、マイクロ波の発信装置および検出装置が必要であることから、認証のための装置が複雑になり、また、照射されたマイクロ波が外部に伝播するため、他の装置に影響を及ぼし、誤動作を引き起こすという問題もある。
【００１０】
これらの問題を解決するのには、装置を簡易なものとするために専用のＩＣを開発したり、マイクロ波の伝播を防止するために装置自体をシールドしなければならなかった。
【００１１】
本出願人は上記のような問題を解消し、マイクロ波を漏洩することのない簡易な装置を用いたカードの正当性を認証することのできる認証方式として、カードの導電体の分布に応じて生ずる電界の変化を検出する方式を特願平５−１６８６５０号として提案している。
【００１２】
ところが、本出願人が提案した導電体の分布に応じて生ずる電界の変化を検出する方式を利用した場合でも、検出された導電体の分布に応じて生ずる電界の変化をＡ／Ｄ変換（図示しない）し、ディジタル化して磁気ヘッド（図示しない）により磁気記録部（図示しない）に記録する。次に、再び、導電体の分布に応じて生ずる電界の変化を検出し、Ａ／Ｄ変換（図示しない）後、ディジタル化した情報と、先に磁気記録部（図示しない）に記録された情報を磁気ヘッド（図示しない）で読み出し、比較することでカードの正当性を認証していた。
【００１３】
このため、磁気記録部に情報の書き込み及び読み取りを行う装置を認証装置内に設ける必要があり、また、磁気記録部の情報の読み取り及び書き込みを正確に行うために搬送系も精度の高い搬送系が必要となった。
【００１４】
本発明は、導電体の分布に応じて生ずる電界の変化を検出するとともに、これに対応したデータを識別媒体に光学的に検出可能なように記録することにより識別媒体の認証（正当性）を簡単な構成の装置で迅速に、かつ、正確に行い、また、導電体の分布に対応した情報の記録及び読み取りを容易に、かつ、正確に行うことのできる識別媒体の発券方式および認証方式を提供することを目的とする。
【００１５】
【課題を解決するための手段】
本発明によれば、繊維状の導電体がランダムに散在された識別媒体と、識別媒体の発券を行う装置とからなる識別媒体の発券方式であって、発券を行う装置は、識別媒体の導電体の分布に応じて生ずる電界の変化を検出する電界検出手段と、電界検出手段により検出された電界の値の最大値および最小値を基準として所定のレベルごとに分割するレベル分割手段と、レベル分割手段により分割された電界の値を光学反射量に変換する光学反射量変換手段と、光学反射量変換手段により変換された光学反射量を識別媒体の光学反射量によって情報を表示する領域に記録する手段により識別媒体の発券を行うものである。
【００１６】
また、本発明によれば、繊維状の導電体がランダムに散在された識別媒体と、識別媒体の正当性を確認する認証装置とからなる識別媒体の認証方式であって、識別媒体は、光学反射量によって情報を表示する領域を有し、認証装置は、識別媒体の導電体の分布に応じて生ずる電界の変化を検出する電界検出手段と、領域の光学反射量を検出する光学検出手段とを有し、認証装置は、導電体の分布および領域の光学反射量を検出してこれらを比較することにより、識別媒体の正当性の確認を行うものである。
【００１７】
さらに、本発明によれば、認証装置は、識別媒体の片側に配置され、交流電源に接続された第１の電極と、識別媒体の他の側に配置された第２の電極とを有し、電界検出手段は前記第２の電極に接続され、交流電源からの交流に基づき第１の電極に印加される電圧により発生する電界が識別媒体を通過することにより識別媒体の導電体の分布に応じて第２の電極に生ずる変化を検出することにより行うものである。
【００１８】
【実施例】
以下、本発明の実施例を図面により詳細に説明する。
【００１９】
図１（ａ）（ｂ）には、本発明による識別媒体の発券方式およびその認証方式に使用される識別媒体を商品券に適用した場合の一実施例が示されている。図１の（ａ）は商品券１０の表面、（ｂ）は商品券１０の裏面をそれぞれ示し、商品券１０には図１６に示すカード１と同様に導電体１ａが埋設されている。
【００２０】
商品券１０の材質としては、上質紙を用いることができるが、合成紙等の樹脂材料を用いることもできる。
【００２１】
導電体１ａとしては、その形状が繊維状が望ましいが、鱗片状等でも本発明に用いることができる。
【００２２】
導電体１ａは、その分布によって電界の変化を充分に生じさせることができる材料および分布状態であればよく、そのような材料として、例えば、室温（２０℃）の体積抵抗率（ρ）が１×１０-8〜１００×１０-8Ωｍの範囲の金属（Ｓｎ、Ｂｉ、Ｓｅ、Ｔｅ、Ｚｎ、Ｉｎ、Ａｌ、Ｐｂ、Ｆｅ、Ｃｏ、Ｎｉ、Ｃｒ、Ｃｕ、Ｔｉ、Ａｇ、Ａｕ等の単体若しくはこれらを任意に組み合わせた合金）を用いることができる。
【００２３】
これらの導電体１ａを構成する材料を用いることによって、センサヘッド２２４により検出される波形の形状が尖鋭となり、商品券１０を識別するのに充分な変化を持つので望ましい。
【００２４】
導電体１ａは同図においては商品券１０の一部に表示されているが、商品券１０の全面にランダムに分布している。
【００２５】
図１（ａ）に示す商品券１０の表面には、通常の商品券と同様の所定の文字、図形等の印刷１２が施されている。図１（ｂ）に示す商品券１０の裏面には、本発明の特徴である導電体１ａの分布を表す分布表示部１４が設けられ、分布表示部１４に隣接してタイミング用バー１６が設けられている。分布表示部１４は、図２に示すような所定のトラック１８について導電体１ａの分布を読み取り、この読み取られた分布に対応したデータが表示される。分布表示部１４は、図３および図３を部分拡大した図４に示すように、本実施例では網点によって表される濃度により導電体１ａの分布を表すものであり、後述するように導電体１ａの分布について読み取られたデータをたとえば１０段階に分け、その段階に応じて網点の濃度を設定する。タイミング用バー１６は導電体１ａの分布および分布表示部１４を読み取る場合のタイミングを表示するバーである。
【００２６】
このタイミング用バー１６は、導電体１ａの分布を表す分布表示部１４を光学的に検出する際のタイミングを取るものであるが、商品券１０の分布表示部１４に形成される網点の大きさ等により、単に商品券１０をセンサヘッド２２２および２２４の間を手差しで通過させる程度で充分に分布表示部１４に形成されている網点を区別して読み取ることができるときには、タイミング用バー１６を省略することもできる。
【００２７】
そして、商品券にはさらに、裏面にバーコード２０が必要に応じて印刷される。
【００２８】
図５には、本発明による識別媒体の発券方式に使用される商品券の発券装置の１例として、図１の商品券の発券装置の一実施例が示されている。同図に示すように、商品券発券装置は金属繊維分布検出センサ２２、タイミングバー検出センサ２４および媒体位置検出センサ２６を有する。金属繊維分布検出センサ２２は、導電体１ａの分布を図２のトラック１８に沿って検出するセンサであり、導電体１ａの分布に応じた電界の変化を検出する。
【００２９】
図６には、金属繊維分布検出センサ２２の構成が示されている。金属繊維分布検出センサ２２は、センサヘッド２２２（第１の電極）および２２４（第２の電極）を有する。これらのヘッド２２２、２２４は、商品券１０を挟んで、その両側に商品券１０と所定の距離となるように配置されている。ヘッド２２２には交流電源２２６が接続されている。
【００３０】
金属繊維分布検出センサ２２はまた、商品券１０の両側に、接地された銅箔２２８、２３０を有する。銅箔２２８、２３０は商品券１０の大きさおよび形状に応じて図１に示すように商品券１０の両側のアクリル板２３２、２３４上に形成され、図７に示すように銅箔２２８、２３０に設けられた孔２３６、２３８内にヘッド２２２または２２４がそれぞれ配置される。
【００３１】
センサヘッド２２２および２２４は直径３．５ｍｍの棒状の先端が尖った金属で、その周囲には銅箔２２８、２３０に設けられた孔２３６、２３８により直径６ｍｍの非導電部が形成され、その外側に銅箔２２８、２３０による導電部が絶縁されて形成されている。
【００３２】
センサヘッド２２２には交流電源２２６から発生された一定の交流電圧が印加され、これによりセンサヘッド２２２に電界が発生する。そして、後述するように、商品券１０を通過した電界がセンサヘッド２２４に発生する。
【００３３】
このとき、商品券１０中には、導電体１ａが分布している所は電界が通過できず、導電体１ａが分布していない所は電界が通過でき、この通過した電界をセンサヘッド２２４により検出することにより商品券１０の導電体１ａの分布を読み取ることができる。
【００３４】
交流電源２２６の周波数は、１００ｋＨｚ〜１００ＭＨｚの範囲に設定することが望ましく、特に、１ＭＨｚ〜５０ＭＨｚの範囲では、繊維状の導電体１ａの分布状態にもよるが、検出される出力波形の凹凸形状が尖鋭で照合に適した出力波形を得ることができる。
【００３５】
図６に示すように、センサヘッド２２２と２２４の間に商品券１０が配置され、センサヘッド２２２から発生された電界が、ヘッド２２２と２２４間を移動する商品券１０中の導電体１ａの分布に応じた電界がセンサヘッド２２４に現れる。
【００３６】
このセンサヘッド２２４に現れる電界の変化を測定することにより商品券１０内のトラック１８上における導電体１ａの分布を検出することができる。電界の測定は、例えば、商品券１０上に設定されたトラック１８がセンサヘッド２２２および２２４間を商品券１０を長手方向に通過させることにより行われる。
【００３７】
検出される出力波形（信号）は、例えば、図９に示すような出力波形が得られる。
【００３８】
センサヘッド２２２および２２４の間に商品券１０を通すと、センサヘッド２２２側から印加された電界は、その商品券１０中に分布している導電体１ａの部分では電界が遮断され、センサヘッド２２４側へは通過せず、導電体１ａの分布がない部分ではセンサヘッド２２４側に電界が通過し、商品券１０に固有の導電体１ａの分布が検出される。
【００３９】
センサヘッド２２４には増幅器２４０が接続される。増幅器２４０はセンサヘッド２２４に発生した電界の変化に応じた電圧を増幅する。増幅器２４０からの出力は図５の金属繊維分布検出センサ２２の出力としてＡ／Ｄ変換部２８に送られる。Ａ／Ｄ変換部２８は金属繊維分布検出センサ２２から入力された信号をデジタル信号に変換し、サンプリング部３２へ出力する。
【００４０】
タイミングバー検出センサ２４は、タイミング用バー１６を検出する光学センサである。タイミングバー検出センサ２４からの出力はＡ／Ｄ変換部３０に送られ、Ａ／Ｄ変換部３０でデジタル信号に変換されてサンプリング部３２に送られる。
【００４１】
媒体位置検出センサ２６は商品券１０の位置を検出するセンサであり、その検出出力（信号）はサンプリング部３２に送られる。
【００４２】
サンプリング部３２は、媒体位置検出センサ２６からの信号によって商品券１０の位置を検出し、タイミングバー検出センサ２４からの信号に基づいてタイミングバー１６の位置を検出し、金属繊維分布検出センサ２２から入力される図９のような信号を、図１０に示すようにタイミング用バー１６に同期させサンプリングして図１１のような信号として出力する。
【００４３】
外部入出力端子３４は、例えばＲＳ２３２Ｃ等が用いられ、サンプリング部３２からのサンプリングされた出力を網点設定部３６に出力する。網点設定部３６には網点変換テーブル３８が接続され、この網点変換テーブル３８には、サンプリングされた出力に対応する網点の濃度が記憶されている。網点設定部３６は網点変換テーブル３８のデータを参照して、サンプリング部３２からのサンプリングされた出力に対応する網点の濃度を設定する。
【００４４】
この網点の設定は図１１に示すように、サンプリングされた出力の最大値および最小値の間を１０段階に分け、この１０段階にそれぞれ対応した階調を網点率で設定する。このとき、図１２に示す感度曲線のように網点率と光学センサの感度の関係は直線的ではなく、たとえば網点率が５０％を超えると光学センサの感度は殆ど増加しない。したがって、図１３に示すように、１０段階の階調の大部分を網点率が５０％未満の部分に当てるようにするのが好ましい。
【００４５】
この、実施例で用いた光学センサの感度曲線は図１２に示すような曲線を描いているが、光学センサの種類によっては感度曲線が直線性を持つものもあり、この場合には、別途網点変換テーブル３８に記憶されている網点の濃度を変更する必要がある。
【００４６】
図５に戻って、印字部４０は、例えばレーザプリンタ等が用いられ、設定された網点が商品券１０の分布表示部１４に印字される。このとき、商品券１０の分布表示部１４に印字される網点は、図４に示されているように濃度毎に区画されていてもよいし、また、検出される出力波形（信号）に対応して連続的に網点の濃度が変化するようにしてもよい。
【００４７】
商品券１０の発券装置の動作を、図８のフローチャートにより説明する。図８に示すように、まず商品券１０の導電体１ａの分布を金属繊維分布検出センサ２２により電界貫通方式で読み取る（ステップ１０２）。次に、読み取った波形のタイミング用バー１６に同期する部分を図１０に示すように量子化する（ステップ１０４）。次に、タイミング用バー１６の位置の部分を量子化したデータを正規化する（ステップ１０６）。すなわち、図１１に示すように量子化した波形を１０段階に分け、その後、その正規化した値を網点変換テーブル３８のデータに照らし合わせて網点化し（ステップ１０８）、各タイミング用バー１６と同期する位置に設定された網点率で網点をレーザプリンタ等の印字部４０により商品券１０の分布表示部１４に印字し商品券１０を発券する（ステップ１１０）。
【００４８】
このとき、図８には図示しないが、ステップ１０６で正規化した波形の順番を、例えば、商品券１０の発券日をキーとして順番を入替え（簡易な暗号化）、次に、ステップ１０８に進むようにすることで、商品券１０の改ざんを有効に防止することができる。
【００４９】
図１４には、本発明による識別媒体の認証方式に使用される識別媒体の検査装置の１例として、図１の商品券１０を検査する検査装置の一実施例が示されている。同図に示すように、商品券の検査装置は金属繊維分布検出センサ２２、網点パターン検出センサ４２、タイミングバー検出センサ２４、媒体位置検出センサ２６を有する。金属繊維分布検出センサ２２、タイミングバー検出センサ２４および媒体位置検出センサ２６は、図５に示す商品券１０の発行装置と同一の機能部であるためここでは、その説明を省略する。
【００５０】
網点パターン検出センサ４２は商品券１０の分布表示部１４に印字された網点のパターンの濃度を検出する光学センサである。金属繊維分布検出センサ２２、網点パターン検出センサ４２、タイミングバー検出センサ２４の出力はそれぞれＡ／Ｄ変換部２８、４４、３０に送られデジタルデータに変換される。サンプリング部４６は、媒体位置検出センサ２６からの信号によって商品券１０の位置を検出し、タイミングバー検出センサ２４からの信号に基づいてタイミング用バー１６の位置を検出し、金属繊維分布検出センサ２２から入力される信号を、タイミングバー１６に同期してサンプリングするとともに、網点パターン検出センサ４２から入力される信号を、タイミング用バー１６に同期させてサンプリングする。
【００５１】
サンプリングされた金属繊維分布検出センサ２２からの信号は、量子化・正規化部４８において量子化および正規化され、一方、サンプリングされた網点パターン検出センサ４２からの信号も量子化・正規化部４８において量子化および正規化される。このように、金属繊維分布検出センサ２２からの信号および網点パターン検出センサ４２からの信号が各サンプリング点においてそれぞれ前記の１０段階のいずれであるかを判断し、これらを比較部５０において比較する。比較の結果が一致すれば商品券１０は正当なものと判断される。一致しない場合にはには偽造または改ざんされたものと判断される。判断の結果は、判定結果表示部５２に送られ、例えば、正当な商品券１０であると判断された場合には、青の点灯もしくは液晶表示等により文字による表示等がなされ、偽造または改ざんされた商品券１０であると判断れさた場合には、赤の点灯もしくは液晶表示等により文字による表示がなされ、商品券１０の判定結果が表示される。
【００５２】
なお、商品券の検査装置は、商品券の発券装置と同一の機能部を有する回路から構成されていることから、これらの同一の機能部を共用した発券および検査装置として構成することもできる。
【００５３】
商品券の検査装置の動作を、図１５のフローチャートにより説明する。図１５に示すように、まず商品券１０の導電体１ａの分布を金属繊維分布検出センサ２２により電界貫通方式で検出し（ステップ１２２）、量子化および正規化する（ステップ１２４）。次に、商品券１０の分布表示部１４に印字された網点のパターンの濃度を網点パターン検出センサ４２により検出し（ステップ１２６）、量子化および正規化する（ステップ１２８）。次に、導電体１ａを正規化した情報と網点パターンを正規化した情報とを比較し（ステップ１３０）、一致するか否かを判断する（ステップ１３２）。一致した場合には、その商品券１０が真券である旨を表示する（ステップ１３４）。一致しない場合には、その商品券１０が偽券である旨を表示する（ステップ１３６）。
【００５４】
このとき、図１５には図示しないが、図８において正規化した波形の順番を入替えて暗号化した場合には、ステップ１２８で正規化した波形の順番を、例えば、商品券１０の発券日をキーとして順番を入替え（簡易な復合化）、次に、ステップ１３０に進むようにすることで、商品券１０の改ざんを有効に防止することができる。
【００５５】
本実施例によれば、上記のように発券時には、商品券１０の導電体１ａの分布をトラック１８に沿って読み取り、読み取った分布パターンの信号をタイミング用バー１６に同期してサンプリングし、その最大値および最小値を基準として１０段階に量子化し、網点のパターンに置き換えて商品券１０の分布表示部１４に印字する。認証時には商品券１０の導電体１ａの分布をトラック１８に沿って読み取るとともに、分布表示部１４の網点パターンを読み取り、これらをタイミング用バー１６に同期してそれぞれサンプリングして量子化し、比較する。商品券１０の分布表示部１４には導電体１ａの分布パターンに応じた網点パターンが発券時に印字されているから、これらが一致した場合に真券であると判断する。
【００５６】
このように、導電体１ａの分布パターンを検出するばかりでなく、これに対応する網点パターンを検出し、これらを比較して商品券１０の真偽を判断するから、真偽の判断を適切に、かつ、容易に行うことができる。また、発券及び検査装置を共用することもできることから、発券及び検査装置の回路構成も簡易なものとすることができる。さらに、導電体１ａの分布パターンに対応するパターンとして網点パターンを用いているから、たとえば上記のように１０段階を表示する場合にデジタルパターンによって０〜９を表示する場合には４ビットすなわち４個のパターンを必要とするのに対し、本実施例の網点パターンの場合には１個のパターンでよく、広いスペースを要することなく情報を表示することができ、読み取りも光学センサを用いることにより問題なく行うことができる。
【００５７】
そして、本実施例によれば、電界を検出して分布された導電体１ａのパターンを読み取っているから、静電容量を測定して導電体１ａの分布パターンを測定するする方法に比べ、直流ドリフトの発生が極めて少なく、安定した分布パターンの検出を行うことができ、分布パターンの検出においても、商品券１０とセンサヘッド２２２とセンサヘッド２２４との距離による出力誤差が少ないため、商品券１０をセンサヘッド２２２または２２４に近接または接触させる必要がなく、発券および検査装置の設計精度が低くてよく、また、商品券１０を通過する電界の量を検出していることから、厚みのある商品券１０以外の媒体の発券（発行）及び認証にも応用することができる。
【００５８】
なお、上記の実施例においては、網点パターンによって導電体１ａの分布パターンを表示しているが、導電体１ａのパターンを表示する分布表示部１４は、網点に限られず、光学的に検出可能であれば、他のパターンでもよい。
【００５９】
また、識別される媒体は上記の例の商品券等の有価証券に限られず、ＩＤカード、クレジットカード、証明書その他偽造を防止するため認証を必要とするものであれば何でもよい。
【００６０】
【発明の効果】
本発明によれば、媒体内に埋設された導電体の分布を、電界検出手段を用いて検出し、この検出した導電体の分布を光学検出手段で検出可能な情報として媒体に記録して媒体を発券し、また、媒体内に埋設された導電体の分布を、電界検出手段を用いて検出し、この検出した導電体の分布と該媒体の発券時に光学検出手段で検出可能なように記録した情報とを比較し、媒体の真偽を判断する。
【００６１】
したがって、簡易な装置によって媒体に特有の分布パターン及びこれに対応する濃度パターンを容易に、かつ、正確に検出し、また、セキュリティ性の高い媒体の発券を容易に行うことができる。
【図面の簡単な説明】
【図１】本発明による認証方式に使用される識別媒体を商品券に適用した場合の一実施例を示す図である。
【図２】図１の商品券の発券過程を示す図である。
【図３】図１の商品券の発券過程を示す図である。
【図４】図３の分布表示部１４を示す拡大図である。
【図５】本発明による認証方式に使用される識別媒体の発行装置を商品券の発券装置に適用した場合の一実施例を示すブロック図である。
【図６】図５の金属繊維分布検出センサ２２の構成の一実施例を示す概略構成図である。
【図７】図６の一部を示す平面図である。
【図８】本発明による認証方式による媒体の発券動作を示すフローチャートである。
【図９】図５の金属繊維分布検出センサ２２により読み取られた分布を示す図である。
【図１０】図９の信号のサンプリングを示す図である。
【図１１】図１０の信号の量子化を示す図である。
【図１２】網点率と光学センサ感度の感度曲線を示す図である。
【図１３】網点率と階調の対応関係の１例を示す図である。
【図１４】本発明による認証方式に使用される識別媒体の検査装置を商品券の検査装置に適用した場合の一実施例を示すブロック図である。
【図１５】本発明による認証方式による媒体の検査動作を示すフローチャートである。
【図１６】従来のカードの１例を示す図である。
【符号の説明】
１  カード
１ａ  導電体
１０  商品券
１２  印刷
１４  分布表示部
１６  タイミング用バー
１８  トラック
２０  バーコード
２２  金属繊維分布検出センサ
２４  タイミングバー検出センサ
２６  媒体位置検出センサ
２８、３０、４４  Ａ／Ｄ変換部
３２、４６  サンプリング部
３６  網点設定部
３８  網点変換テーブル
４０  印字部
４２  網点パターン検出センサ
４８  量子化・正規化部
５０  比較部
５２  判定結果表示部
２２２、２２４  センサヘッド
２２６  交流電源
２２８、２３０  銅箔
２３２、２３４  アクリル板
２３６、２３８  孔
２４０  増幅器
【図１】
0003540037.tif 000002
【図２】
0003540037.tif 000003
【図３】
0003540037.tif 000004
【図４】
0003540037.tif 000005
【図５】
0003540037.tif 000006
【図６】
0003540037.tif 000007
【図７】
0003540037.tif 000008
【図８】
0003540037.tif 000009
【図９】
0003540037.tif 000010
【図１０】
0003540037.tif 000011
【図１１】
0003540037.tif 000012
【図１２】
0003540037.tif 000013
【図１３】
0003540037.tif 000014
【図１４】
0003540037.tif 000015
【図１５】
0003540037.tif 000016
【図１６】
0003540037.tif 000017